(57)【要約】【課題】ハウジング内に収容するデジタイザ基板が静電気の影響を受けにくくすることができ、小型化を図ることができる情報入力装置を提供する。【解決手段】後カバー９Ｌは後側板壁部３２を主体とし、左方側の縁部に、後側板壁部３２の縁部に接続する左側側壁部３５と、左側側壁部３５に接続する前側板壁部３１とに亘って折返し状に一体に形成した縁返し部９１が形成されている。デジタイザ基板７Ｌの縁部は縁返し部９１内に配置される。前カバー８Ｌの前側板壁部３１が左方側の縁部に有する外覆部８７は、縁返し部９１を構成する前側板壁部３１を前方側から覆う。ハウジング３の外部に生じた静電気等は、合わせ部位１５を介してハウジング３内に進入しても、縁返し部９１の構成によって距離が確保される。【選択図】図８
2014211773.tif 000002
【特許請求の範囲】
【請求項１】
近接または接触する検出対象体の位置を情報として取得可能な情報入力装置であって、
板状をなし、前記検出対象体が近接または接触する位置を検出可能な検出装置を備え、
前記検出装置は、
前記検出対象体の近接位置または接触位置を検出する板状のデジタイザ基板と、
２以上の部材を組み合わせ、板状で互いに向き合って配置される２つの板壁部、および前記２つの板壁部のそれぞれの縁部を一周に亘って接続する側壁部を有する箱体を構成し、内部に前記デジタイザ基板を収容するハウジングと、
を備え、
前記ハウジングを構成する前記２以上の部材のうちの１つである第一部材は、前記２つの板壁部のうちの一方の板壁部である第一板壁部を主体とし、前記第一板壁部の縁部の少なくとも一部において、前記側壁部の一部と、前記２つの板壁部のうちの他方の板壁部である第二板壁部の一部とに亘って折返し状に一体に形成した縁返し部を有し、
前記ハウジング内において、前記縁返し部には、前記デジタイザ基板の縁部が配置されることを特徴とする情報入力装置。
【請求項２】
前記縁返し部は、前記第一板壁部の少なくとも１つの角部において、前記側壁部の一部と、第二板壁部の角部とに亘って折返し状に一体に形成した角返し部を含み、
前記ハウジング内において、前記角返し部には、前記デジタイザ基板の角部が配置されることを特徴とする請求項１に記載の情報入力装置。
【請求項３】
前記縁返し部は、前記角返し部の形成位置から、少なくとも前記第一部材の縁部を構成する辺の中央を越える位置にかけて形成されたことを特徴とする請求項２に記載の情報入力装置。
【請求項４】
前記第二板壁部を主体とし、前記ハウジングを構成する前記２以上の部材のうちの１つである第二部材は、前記第一部材の前記縁返し部を形成する部分の前記第二板壁部を、前記ハウジングの外部側から覆う外覆部を有することを特徴とする請求項１から３のいずれかに記載の情報入力装置。
【請求項５】
前記第二部材は、前記第二板壁部の対辺で向き合う２つの縁部のそれぞれに一対の前記縁返し部を有し、
前記第一部材は、前記第一板壁部の対辺で向き合う２つの縁部に、前記第二部材の前記一対の縁返し部の折返し先端部分に前記ハウジングの内部側からそれぞれ当接する一対の当接部を有し、
前記第一部材は、前記第二部材と組み合って前記ハウジングを構成する構成位置と、前記第二部材から分離して前記ハウジングを解体する解体位置との間を、前記一対の当接部を前記一対の縁返し部に当接させた状態で移動可能であることを特徴とする請求項４に記載の情報入力装置。
【請求項６】
前記ハウジングの構成において前記第一部材と前記第二部材とが縁合わせする合わせ部位に対し、前記ハウジング内に収容する前記デジタイザ基板の表面が向き合う位置には、絶縁部材が設けられていることを特徴とする請求項４または５に記載の情報入力装置。
【請求項７】
前記２つの板壁部のうち、前記デジタイザ基板の検出面側に配置される板壁部は、前記合わせ部位が非形成であることを特徴とする請求項６に記載の情報入力装置。
【請求項８】
前記２つの板壁部のうち、前記デジタイザ基板の非検出面側に配置される板壁部に対し、前記ハウジングの外部側で向き合う位置に配置され、絶縁性のシートを内蔵し、前記検出装置を保持する保持部材を備えたことを特徴とする請求項１から７のいずれかに記載の情報入力装置。
【発明の詳細な説明】
【技術分野】
【０００１】
本発明は、複数枚の用紙が綴じられた冊子状の記録媒体上で入力される情報を取得可能な情報入力装置に関する。
【背景技術】
【０００２】
従来、複数枚の用紙が綴じられた冊子状の紙媒体に記入される情報を、電子化して保管および管理する技術が知られている（例えば、特許文献１参照）。特許文献１が開示する情報管理システムでは、人が手帳をデジタイザのパッド上に載せ、専用ペンで手書きのコンテンツを手帳に記載する。手書きのコンテンツは、デジタイザによって画像データとして読み込まれ、ＰＣのメモリに記憶される。
【０００３】
ところで、デジタイザが専用ペンの軌跡を画像データとして読み取るために、デジタイザのハウジング内に収容されるデジタイザ基板は、ハウジングの外部から進入した静電気の影響を受ける場合がある。静電気は、ハウジングを構成する部材同士の合わせ部位や、ハウジングに設けられた穴などを通り、ハウジング内に進入してデジタイザ基板に到達する。静電気対策としては、静電気が通る部位の近傍に導電性の高い部材を配置し、基準電位に接地して静電気を逃がしたり、静電気が通る部位とデジタイザ基板との間に絶縁維持に必要な距離を確保したりすることが有効である。
【先行技術文献】
【特許文献】
【０００４】
【特許文献１】特開２００２−１３２９４３号公報
【発明の概要】
【発明が解決しようとする課題】
【０００５】
しかしながら、静電気が通る部位の近傍に導電性の高い部材を配置しても、距離や接続線の都合により、基準電位に接地することが困難な場合があった。また、デジタイザの小型化を図る上で、ハウジングとデジタイザ基板との間に必要な距離を確保することが困難な場合があった。
【０００６】
本発明は、上記の問題点を解決するためになされたものであり、ハウジング内に収容するデジタイザ基板が静電気の影響を受けにくくすることができ、小型化を図ることができる情報入力装置を提供することを目的とする。
【課題を解決するための手段】
【０００７】
本発明の第１態様によれば、近接または接触する検出対象体の位置を情報として取得可能な情報入力装置であって、板状をなし、前記検出対象体が近接または接触する位置を検出可能な検出装置を備え、前記検出装置は、前記検出対象体の近接位置または接触位置を検出する板状のデジタイザ基板と、２以上の部材を組み合わせ、板状で互いに向き合って配置される２つの板壁部、および前記２つの板壁部のそれぞれの縁部を一周に亘って接続する側壁部を有する箱体を構成し、内部に前記デジタイザ基板を収容するハウジングと、を備え、前記ハウジングを構成する前記２以上の部材のうちの１つである第一部材は、前記２つの板壁部のうちの一方の板壁部である第一板壁部を主体とし、前記第一板壁部の縁部の少なくとも一部において、前記側壁部の一部と、前記２つの板壁部のうちの他方の板壁部である第二板壁部の一部とに亘って折返し状に一体に形成した縁返し部を有し、前記ハウジング内において、前記縁返し部には、前記デジタイザ基板の縁部が配置されることを特徴とする情報入力装置が提供される。
【０００８】
縁返し部にデジタイザ基板の縁部を配置することで、ハウジングの外部から静電気等が進入し、デジタイザ基板に到達するまでに辿る経路において、距離を確保することができるので、デジタイザ基板が静電気等の影響を受けにくくすることができる。ゆえに、デジタイザ基板をハウジングの縁部にも配置することができ、情報入力装置の小型化、薄型化を図ることができる。また、縁返し部を折返し状に形成することで、ハウジングの縁部における剛性を高めることができる。
【０００９】
第１態様において、前記縁返し部は、前記第一板壁部の少なくとも１つの角部において、前記側壁部の一部と、第二板壁部の角部とに亘って折返し状に一体に形成した角返し部を含んでもよい。前記ハウジング内において、前記角返し部には、前記デジタイザ基板の角部が配置されてもよい。縁返し部が角返し部を含むことで、デジタイザ基板をハウジングの角部にも配置することができ、情報入力装置の小型化、薄型化を図ることができる。また、角返し部を袋状に形成することで、ハウジングの角部における剛性を高めることができる。
【００１０】
第１態様において、前記縁返し部は、前記角返し部の形成位置から、少なくとも前記第一部材の縁部を構成する辺の中央を越える位置にかけて形成されてもよい。縁返し部が長く延びても角返し部を含むことで、縁返し部は十分な剛性を得ることができる。そして、デジタイザ基板をハウジングの縁部から角部にかけて配置することができるので、情報入力装置の小型化、薄型化を図ることができる。
【００１１】
第１態様において、前記第二板壁部を主体とし、前記ハウジングを構成する前記２以上の部材のうちの１つである第二部材は、前記第一部材の前記縁返し部を形成する部分の前記第二板壁部を、前記ハウジングの外部側から覆う外覆部を有してもよい。静電気等が外部からハウジング内に進入する場合、外覆部と第一部材の縁返し部を形成する部分の第二板壁部との間を経路とすることになるため、経路上の距離を確保することができ、デジタイザ基板が静電気等の影響を受けにくくすることができる。
【００１２】
第１態様において、前記第二部材は、前記第二板壁部の対辺で向き合う２つの縁部のそれぞれに一対の前記縁返し部を有してもよい。前記第一部材は、前記第一板壁部の対辺で向き合う２つの縁部に、前記第二部材の前記一対の縁返し部の折返し先端部分に前記ハウジングの内部側からそれぞれ当接する一対の当接部を有してもよい。前記第一部材は、前記第二部材と組み合って前記ハウジングを構成する構成位置と、前記第二部材から分離して前記ハウジングを解体する解体位置との間を、前記一対の当接部を前記一対の縁返し部に当接させた状態で移動可能であってもよい。ハウジング組立てのための噛み合わせ部等を第一部材と第二部材に形成する必要がなく、縁返し部という既にある構成を用いてハウジングの組立てを行うことができるので、情報入力装置の小型化、薄型化を図ることができる。
【００１３】
第１態様において、前記ハウジングの構成において前記第一部材と前記第二部材とが縁合わせする合わせ部位に対し、前記ハウジング内に収容する前記デジタイザ基板の表面が向き合う位置には、絶縁部材が設けられてもよい。合わせ部位に対して絶縁部材を配置することで、合わせ部位を介して静電気等がハウジング内に進入しても、絶縁部材上を通ってデジタイザ基板に到達する経路を辿ることになるため、経路上の距離を確保することができ、デジタイザ基板が静電気等の影響を受けにくくすることができる。
【００１４】
第１態様において、前記２つの板壁部のうち、前記デジタイザ基板の検出面側に配置される板壁部は、前記合わせ部位が非形成であってもよい。デジタイザ基板の検出面側に合わせ部位を形成しないことで、検出対象体が合わせ部位に引っかかったりすることがなく、検出対象体の近接位置または接触位置の検出をスムーズに行うことができる。また、検出面側は、情報入力装置のデザイン、レイアウト等を考慮すると、静電気等に対する対策が難しいので、合わせ部位を非検出面に形成すれば、静電気等に対する対策を容易化することができる。
【００１５】
第１態様において、前記２つの板壁部のうち、前記デジタイザ基板の非検出面側に配置される板壁部に対し、前記ハウジングの外部側で向き合う位置に配置され、絶縁性のシートを内蔵し、前記検出装置を保持する保持部材を備えてもよい。デジタイザ基板の非検出面側に絶縁性シートを内蔵する保持部材を配置することで、静電気等が、非検出面側からハウジング内に進入する場合の経路における距離を確保することができ、デジタイザ基板が静電気等の影響を受けにくくすることができる。
【図面の簡単な説明】
【００１６】
【図１】情報入力装置１の全体構成図である。
【図２】情報入力装置１にノート５を装着し、開いた状態で、前方、右方および下方から見た斜視図である。
【図３】情報入力装置１を開いた状態で前方から見た図である
【図４】検出装置２Ｌを前方、右方および下方から見た斜視図である。
【図５】検出装置２Ｌを前方、右方および下方から見た状態で構成部品を展開した斜視図である。
【図６】検出装置２Ｌを後方、左方および下方から見た状態で構成部品を展開した斜視図である。
【図７】図５、図６の一点鎖線Ｉ−Ｉに示す部分にて切断し、矢視方向から見た検出装置２Ｌの断面図である。
【図８】図５、図６の一点鎖線ＩＩ−ＩＩに示す部分にて切断し、矢視方向から見た検出装置２Ｌの断面図である。
【図９】図５、図６の一点鎖線ＩＩＩ−ＩＩＩに示す部分にて切断し、矢視方向から見た検出装置２Ｌの断面図である。
【発明を実施するための形態】
【００１７】
以下、本発明の実施形態について、図面を参照して説明する。参照する図面は、本発明が採用し得る技術的特徴を説明するために用いられるものである。図面に記載されている装置の構成等は、それのみに限定する趣旨ではなく、単なる説明例である。
【００１８】
本実施形態に係る情報入力装置１について説明する。以下の説明では、図２の上側、下側、左上側、右下側、右上側、左下側を、それぞれ、情報入力装置１の前側、後側、左側、右側、上側、下側と定義する。情報入力装置１を構成する外装カバー４、検出装置２Ｌ，２Ｒ、および情報入力装置１に装着するノート５の方向の定義についても、便宜上、情報入力装置１を組み立てた状態および装着した状態を基準に、情報入力装置１に倣うものとする。なお、図１に示す情報入力装置１は、情報入力装置１が開閉される途中の状態を示す。図２に示す情報入力装置１は、情報入力装置１が開かれた状態を示す。
【００１９】
図１に示す、情報入力装置１は、ユーザが携行可能なタブレット型の手書き入力装置である。情報入力装置１は、図１の紙面手前側を見開き面側として左右方向に折り畳み（つまり、二つ折り）可能な外装カバー４に、２つの板状の検出装置２Ｌ，２Ｒを組み付けた状態で提供される。情報入力装置１は、外装カバー４を見開いた状態の左側ページ４Ｌに検出装置２Ｌを配置し、右側ページ４Ｒに検出装置２Ｒを配置して構成する。情報入力装置１は、検出装置２Ｌ，２Ｒに冊子状の記録媒体、例えばノート５を装着し、ユーザが電子ペン６でノート５に記入した情報を読み取ることが可能である。電子ペン６は、ノート５にインクで情報（文字、記号、図形、数字等）を記入でき、且つ、記入される情報を検出装置２Ｌ，２Ｒに入力可能な筆記具である。電子ペン６は、内部に、周知の共振回路を構成する可変容量コンデンサ、コイル等（図示略）を備える。検出装置２Ｌ，２Ｒは、公知の電磁誘導方式で、電子ペン６が近接する位置を検出することが可能である。
【００２０】
図１〜図３に示すように、ノート５は、検出装置２Ｌ，２Ｒの前面に固定される。検出装置２Ｌ，２Ｒは、前面に、ノート５の左右の表紙５１Ｌ，５１Ｒを固定する際の位置決めを担う窪み状の位置決め部２１Ｌ，２１Ｒをそれぞれ有する。より詳細に、検出装置２Ｌの位置決め部２１Ｌは、上方、左方および下方に段差を有し、右方には段差を設けていない。ノート５は、左表紙５１Ｌの上方、左方および下方の縁部をそれぞれ段差に突き当てて位置決めする。さらに、位置決め部２１Ｌは、窪み内で右辺寄りの位置に微粘着性の接着部２２Ｌ（図１参照）を有する。接着部２２Ｌはノート５の左表紙５１Ｌを容易に剥離可能な状態で接着し、位置決め部２１Ｌに固定する。また、検出装置２Ｒの位置決め部２１Ｒは、上方、右方および下方に段差を有し、左方には段差を設けていない。ノート５は、右表紙５１Ｒの上方、右方および下方の縁部をそれぞれ段差に突き当てて位置決めする。上記同様、位置決め部２１Ｒは、窪み内で左辺寄りの位置に微粘着性の接着部２２Ｒ（図１参照）を有する。接着部２２Ｒはノート５の右表紙５１Ｒを容易に剥離可能な状態で接着し、位置決め部２１Ｒに固定する。
【００２１】
外装カバー４は、折り曲げられていない状態で左右方向に長い矩形状の板状体である。外装カバー４は、検出装置２Ｌを保持する左側ページ４Ｌと、検出装置２Ｒを固定する右側ページ４Ｒと、左側ページ４Ｌと右側ページ４Ｒとを左右中央で連結する折曲部４Ｃとを有する。外装カバー４は、例えば合成皮革またはナイロン（登録商標）素材によって作製され、外力に応じて変形可能な柔軟性を有する。外装カバー４は、右側ページ４Ｒと左側ページ４Ｌの内部に、それぞれ、絶縁性を有するシート４２Ｌ，４２Ｒを織り込んでいる。シート４２Ｌ，４２Ｒは、それぞれ、右側ページ４Ｒと左側ページ４Ｌの略全面に亘って配置されている。折曲部４Ｃは、軸線ＡＸ（図１参照）を取り巻くように、前面側を内面にして折り曲げることができる。すなわち、外装カバー４は、折曲部４Ｃを折り曲げることで、検出装置２Ｌと検出装置２Ｒとが向き合う向きに折り畳むことができる。
【００２２】
外装カバー４は、右側ページ４Ｒに検出装置２Ｒの背面（後方側の面）を、例えば両面粘着テープ等を用いて固定する。図示しないが、検出装置２Ｒは背面に、検出装置２Ｌ，２Ｒの駆動のためのバッテリを装着する装着部を備える。外装カバー４は背面に、面ファスナーを用いて開閉可能なカバー体（図示略）を備え、検出装置２Ｒを外装カバー４から取り外さずともユーザによるバッテリ（図示略）交換が可能である。
【００２３】
外装カバー４は左側ページ４Ｌに、検出装置２Ｌを保持する保持シート４１Ｌを有する。保持シート４１Ｌは、例えば透明の軟質塩化ビニールシートである。保持シート４１Ｌは、上辺、左辺および下辺の三辺が外装カバー４の縁部４５に織り込まれ、右辺は開放されている。検出装置２Ｌは、保持シート４１Ｌの右辺側から保持シート４１Ｌと外装カバー４の本体部との間に挿入され、右端側が保持シート４１Ｌの右辺から右方に突出した状態で、保持シート４１Ｌに保持される。検出装置２Ｌは背面側に、検出装置２Ｌの本体部に対して左右方向にスライド移動可能なホルダ９９（図５参照）を備える。外装カバー４は本体部にホルダ９９の固定部（図示略）を備え、ホルダ９９を固定することによって、保持シート４１Ｌとの間に保持する検出装置２Ｌをスライド可能な状態に支持する。
【００２４】
外装カバー４は、折曲部４Ｃの内向き面側（図２の前面側）に、上下方向に延び、折曲部４Ｃを覆う太幅の帯状体４４を備える。帯状体４４は、上下に張られた状態で両端が外装カバー４の縁部４５にそれぞれ織り込まれており、折曲部４Ｃの内向き面との間に間隙を有することができる。検出装置２Ｌと検出装置２Ｒは、ハーネス５０（図１参照）を介して電気的に接続する。ハーネス５０は、検出装置２Ｌが内蔵するデジタイザ基板７Ｌ（図５参照）の制御基板７１Ｌ（図６参照）と、検出装置２Ｒが内蔵するデジタイザ基板（図示略）の制御基板（図示略）とを電気的に接続するためのパターンが形成されたフレキシブル基板である。帯状体４４は、折曲部４Ｃの内向き面との間にハーネス５０を通すことでハーネス５０を隠蔽する。なお、図示しないが、外装カバー４は、バッテリのカバー体を閉じた状態に支え、栞等の用途にも使用可能なバンド、電子ペン６のホルダ、資料等を収納可能なポケット等を備える。
【００２５】
検出装置２Ｌ，２Ｒは、前述したように、公知の電磁誘導方式で、電子ペン６が近接する位置を検出することが可能な装置である。検出装置２Ｌ，２Ｒは、正面視で上下方向に長い矩形状であり、且つ前後方向の厚みが小さい箱状体である。図示しないが、検出装置２Ｒは、内部に、電子ペン６の近接位置を検出するためのデジタイザ基板と、デジタイザ基板に流す電流を制御する制御基板と、情報入力装置１の制御を司るＣＰＵを搭載したメイン基板とを収容する。メイン基板は、電源スイッチ、発光素子、通信部など、各種スイッチ、コネクタ等の部品（図示略）を備え、検出装置２Ｒの上端部右寄り部分に設けられる収容部７９に収容する。メイン基板のＣＰＵは、近傍に位置するＰＣ等の外部装置（図示略）と無線や有線による通信が可能である。メイン基板は制御基板と電気的に接続する。
【００２６】
デジタイザ基板は、Ｘ軸方向（具体的には左右方向）およびＹ軸方向（具体的には上下方向）の各々に細長いループコイルが多数配列された基板である。制御基板はループコイルの一本ずつに特定周波数の電流（励磁用送信電流）を流して磁界を発生させ、デジタイザ基板に近接する電子ペン６の共振回路が生ずる誘導磁界によってループコイルに流れる電流（信号電流）を検出する。メイン基板のＣＰＵは、制御基板が検出した信号電流に基づき電子ペン６の位置座標を経時的に求め、電子ペン６の軌跡を示すストロークデータを生成し、情報入力装置１に接続する外部装置（ＰＣ等）に対して出力する。
【００２７】
次に、図４〜図９を参照し、検出装置２Ｌについて説明する。図４に示す検出装置２Ｌは、前述したように、前後方向を厚み方向とし、左右方向よりも上下方向が長い矩形の板状をなす箱状体である。図５、図６に示すように、検出装置２Ｌは、前カバー８Ｌ、後カバー９Ｌ、デジタイザ基板７Ｌ、制御基板７１Ｌ（図６参照）、ハーネス５０およびホルダ９９を備える。
【００２８】
前カバー８Ｌと後カバー９Ｌは、互いに組み合わせて検出装置２Ｌのハウジング３を構成する。本実施形態の検出装置２Ｌは上記のように矩形の箱状体であるので、ハウジング３は、前後方向、上下方向および左右方向にそれぞれ一対に配置される６つの壁部によって構成されるものとする。図４に示すように、ハウジング３は、正面壁（前側板壁部３１）、背面壁（後側板壁部３２）、左側面壁（左側側壁部３５）、右側面壁（右側側壁部３６）、天面壁（上側側壁部３３）および底面壁（下側側壁部３４）を有する。前側板壁部３１と後側板壁部３２は、矩形の板状で、前後方向において互いに向き合って配置される板壁部である。上側側壁部３３、下側側壁部３４、左側側壁部３５および右側側壁部３６は、前側板壁部３１と後側板壁部３２のそれぞれの縁部を一周に亘って接続する側壁部である。
【００２９】
図５，図６に示す、デジタイザ基板７Ｌおよび制御基板７１Ｌは、検出装置２Ｒのデジタイザ基板および制御基板（図示略）と同様の構成であり、公知の電磁誘導方式による電子ペン６の近接位置を検知することができる。制御基板７１Ｌは、デジタイザ基板７Ｌの後方側の面で下方側の端部において、左右方向の略中央付近に、デジタイザ基板７Ｌと一体に配置されている。デジタイザ基板７Ｌの左方側の縁部には、上下方向の全長にわたって、絶縁部材７２が設けられている。絶縁部材７２は、例えば、絶縁性の高いテープ等であり、デジタイザ基板７Ｌ前後方向の両面および左側面を覆って静電気等から保護する。また、デジタイザ基板７Ｌの上方右側の角部と、下方右側の角部にも、同様の絶縁部材７３，７４が設けられている。絶縁部材７３は、デジタイザ基板７Ｌの前後方向の両面および上側面を覆い、絶縁部材７４は、デジタイザ基板７Ｌの前後方向の両面および下側面を覆って静電気等から保護する。
【００３０】
前カバー８Ｌは、２つの板壁部のうち、前方側に配置される前側板壁部３１を主体に形成される。前カバー８Ｌは、前側板壁部３１の上方側、右方側および下方側の縁部に、それぞれ後方へ向けて立ち上がる上側側壁部３３、右側側壁部３６および下側側壁部３４を有する。前カバー８Ｌにおける右側側壁部３６は、ハウジング３の上方右側に位置する右上角部３７から、下方右側に位置する右下角部３８に亘って形成され、上側側壁部３３および下側側壁部３４と接続する。前カバー８Ｌにおける上側側壁部３３は、右上角部３７からハウジング３の上方左側に位置する左上角部３９へ向けて延びるが、左上角部３９には達しておらず、左上角部３９付近が欠けた状態となっている。左上角部３９付近の上側側壁部３３は、後述する後カバー９Ｌに形成されている。同様に、前カバー８Ｌにおける下側側壁部３４は、右下角部３８からハウジング３の下方左側に位置する左下角部４０へ向けて延びるが、左下角部４０には達しておらず、左下角部４０付近が欠けた状態となっている。左下角部４０付近の下側側壁部３４も同様に、後述する後カバー９Ｌに形成されている。
【００３１】
下側側壁部３４は、後方側に位置する端部から、上方へ向けて、前側板壁部３１と向き合った状態で延びる後側板壁部３２を有する。後側板壁部３２は下側側壁部３４が形成されている部分のほぼ全域から所定長さ分、上方へ向けて形成されており、左右方向においては細幅に延びる板状をなす。すなわち、図７に示すように、前カバー８Ｌの下方側の縁部には、前側板壁部３１の縁部に接続する下側側壁部３４と、下側側壁部３４に接続する後側板壁部３２とに亘って折返し状に一体に形成した縁返し部８２が形成されている。
【００３２】
図５，図６に示すように、前カバー８Ｌの上側側壁部３３についても同様であり、上側側壁部３３は、後方側に位置する端部から、下方へ向けて、前側板壁部３１と向き合った状態で延びる後側板壁部３２を有する。後側板壁部３２は上側側壁部３３が形成されている部分のほぼ全域から所定長さ分、下方へ向けて形成され、左右方向においては細幅の板状に延びる。すなわち、前カバー８Ｌの上方側の縁部にも、前側板壁部３１の縁部に接続する上側側壁部３３と、上側側壁部３３に接続する後側板壁部３２とに亘って折返し状に一体に形成した縁返し部８１（図６参照）が形成されている。前カバー８Ｌは、前側板壁部３１の上下方向にそれぞれ位置する対辺で向き合う２つの縁部のそれぞれに、折返しによって袋状となった一対の縁返し部８１，８２が左右方向に延びて形成されている。
【００３３】
縁返し部８１，８２を構成する後側板壁部３２は、右方側の端部において、それぞれ、上側側壁部３３または下側側壁部３４の縁部よりも右方に突出する突出部８１Ｂ，８２Ｂを有する。突出部８１Ｂ，８２Ｂは、後カバー９Ｌに設けられる角返し部９２，９３の一部をそれぞれ後方側から覆う外覆部として機能する。
【００３４】
前カバー８Ｌの一対の縁返し部８１，８２を構成する後側板壁部３２は、右上角部３７および右下角部３８において、それぞれ右側側壁部３６に接続する。すなわち、縁返し部８１は、右上角部３７において、前側板壁部３１、後側板壁部３２、右側側壁部３６および上側側壁部３３によって四方が囲まれた袋状に形成されており、この部分を角返し部８４と呼ぶこととする。縁返し部８２も同様に、右下角部３８において、前側板壁部３１、後側板壁部３２、右側側壁部３６および下側側壁部３４によって四方が囲まれた角返し部８３として形成されている。また、前カバー８Ｌは、前側板壁部３１の左方側縁部に、後カバー９Ｌとの組み合わせにおいて、後カバー９Ｌが備えるダボ９５およびフック９６がそれぞれ係合するダボ穴８５およびラッチ８６を備える。
【００３５】
次に、後カバー９Ｌは、２つの板壁部のうち、後方側に配置される後側板壁部３２を主体に形成される。後カバー９Ｌにおける後側板壁部３２は、前カバー８Ｌにおいて縁返し部８１，８２を構成する部分の後側板壁部３２の一部を欠いた形状を有する。後カバー９Ｌは、後側板壁部３２の上下方向の中央付近に開口部９７を有し、開口部９７の上下方向両側の縁部に、左右方向に一対に延びるレール部９８を備える。レール部９８には、開口部に後側および右側の２面が開放された箱形形状のホルダ９９が係合する。検出装置２Ｌを組み立てた状態で、ホルダ９９は、後カバー９Ｌに対して左右方向にスライド可能に支持される。また、ホルダ９９は、デジタイザ基板７Ｌの制御基板７１Ｌ（図６参照）と、検出装置２Ｒのデジタイザ基板の制御基板（図示略）とを電気的に接続するハーネス５０を、検出装置２Ｌのスライド移動時にかかる負荷に伴う変形から保護する。
【００３６】
後カバー９Ｌは、後側板壁部３２の左方側の縁部に、前方へ向けて立ち上がる左側側壁部３５を有する。後カバー９Ｌにおける左側側壁部３５は、左上角部３９から左下角部４０に亘って形成され、上側側壁部３３の一部、および下側側壁部３４の一部と接続する。左側側壁部３５は、後方側に位置する端部から、右方へ向けて、後側板壁部３２と向き合った状態で延びる前側板壁部３１を有する。前側板壁部３１は左側側壁部３５が形成されている部分の全域から所定長さ分、右方へ向けて形成されており、上下方向においては細幅に延びる板状をなす。すなわち、図８に示すように、後カバー９Ｌの左方側の縁部には、後側板壁部３２の縁部に接続する左側側壁部３５と、左側側壁部３５に接続する前側板壁部３１とに亘って折返し状に一体に形成した縁返し部９１が形成されている。
【００３７】
図５，図６に示すように、後カバー９Ｌの縁返し部９１を構成する前側板壁部３１は、左上角部３９および左下角部４０において、それぞれ左側側壁部３５に接続する。すなわち、縁返し部９１は、左上角部３９において、前側板壁部３１、後側板壁部３２、左側側壁部３５および上側側壁部３３によって四方が囲まれた袋状に形成されており、この部分を角返し部９２と呼ぶ。左下角部４０においても同様に、縁返し部９１は、前側板壁部３１、後側板壁部３２、左側側壁部３５および下側側壁部３４によって四方が囲まれた角返し部９３として形成されている。
【００３８】
前カバー８Ｌの前側板壁部３１の左方側の縁部は、後カバー９Ｌの縁返し部９１を構成する前側板壁部３１の形成位置に対応するが、欠けた状態に形成されていない。図８に示すように、前カバー８Ｌの前側板壁部３１は、後カバー９Ｌの縁返し部９１を構成する前側板壁部３１を、前方側から覆っている。前カバー８Ｌの前側板壁部３１で、後カバー９Ｌの縁返し部９１における前側板壁部３１を覆う部分を、外覆部８７とよぶ。前カバー８Ｌと後カバー９Ｌを組み合わせてハウジング３を構成すると、前カバー８Ｌと後カバー９Ｌとが縁合わせする合わせ部位１５が形成される。外覆部８７を設けることによって、ハウジング３は、合わせ部位１５を、ハウジング３の前方側の面に形成せず、左方側の面に形成することができる。
【００３９】
図５，図６に示すように、後カバー９Ｌは、後側板壁部３２の上方側および下方側の縁部に、それぞれ、後方側に段状をなす段部１３，１４を有する。段部１３，１４は、前カバー８Ｌの縁返し部８１，８２を構成する後側板壁部３２の端部、すなわち縁返し部８１，８２の折返し先端部分８１Ａ，８２Ａに、ハウジング３の内部側からそれぞれ当接する。もっとも、図７に示すように、段部１４は、必ずしも縁返し部８２の左右方向の長さの全範囲において折返し先端部分８２Ａに当接状態にあるのではない。前カバー８Ｌと後カバー９Ｌを組み合わせてハウジング３を構成した際に、前カバー８Ｌの縁返し部８２から後カバー９Ｌが外方すなわち下方へ向けて外れてしまうことを、段部１４が折返し先端部分８２Ａに当接して防止できれば足りる。段部１３についても同様である。縁返し部８２において、前カバー８Ｌと後カバー９Ｌとが縁合わせする合わせ部位１６は、ハウジング３の後方側の面に形成される。
【００４０】
また、図５，図６に示すように、後カバー９Ｌは、縁返し部９１を構成する前側板壁部３１の左方側縁部に、前カバー８Ｌとの組み合わせにおいて、前カバー８Ｌのダボ穴８５およびラッチ８６と係合するダボ９５およびフック９６を備える。
【００４１】
以上のような構成の検出装置２Ｌを組み立てる場合、以下に説明するように、前カバー８Ｌと後カバー９Ｌを組み合わせて形成したハウジング３内にデジタイザ基板７Ｌを収容する。まず、後カバー９Ｌの開口部９７にホルダ９９を配置し、レール部９８に係合する。開口部９７内を通してハーネス５０を配置し、ホルダ９９内にハーネス５０の一部を配置して両面テープ等でホルダ９９にハーネス５０を固定する。制御基板７１Ｌのコネクタ部にハーネス５０の端子部を差し込み、両面テープ等で、デジタイザ基板７Ｌの後方側の面にハーネス５０を固定する。図中の矢印Ｘで示すように、デジタイザ基板７Ｌの上方左側の角部と下方左側の角部とをそれぞれ後カバー９Ｌの角返し部９２と角返し部９３とに挿入し、角返し部９２，９３内に配置する。これにより、図８に示すように、デジタイザ基板７Ｌの左方側の縁部は、後カバー９Ｌの縁返し部９１内に配置される。また、デジタイザ基板７Ｌに設けた絶縁部材７３，７４は、それぞれ、角返し部９２，９３を含み、角返し部９２，９３よりもさらに右方側の位置に達して配置される。絶縁部材７２は、後カバー９Ｌの右方側の縁部に沿って配置される。
【００４２】
図５、図６に示すように、デジタイザ基板７Ｌを保持した後カバー９Ｌの上方右側の角部と下方右側の角部とを、図中の矢印Ｙで示すように、それぞれ、前カバー８Ｌの縁返し部８１，８２における左方側の端部に配置する。後カバー９Ｌの後側板壁部３２の上方側および下方側の縁部にそれぞれ設けた段部１３，１４を、縁返し部８１，８２の折返し先端部分８１Ａ，８２Ａにそれぞれ当接する。なお、前カバー８Ｌと後カバー９Ｌとを組み合わせる前の状態における、前カバー８Ｌに対する後カバー９Ｌの位置を、解体位置と呼ぶ。段部１３，１４が折返し先端部分８１Ａ，８２Ａに当接する状態を維持したまま、後カバー９Ｌを前カバー８Ｌに対して右方向にスライド移動する。後カバー９Ｌは、デジタイザ基板７Ｌごと、後側板壁部３２が前カバー８Ｌの前側板壁部３１と向き合う位置に移動する。前カバー８Ｌの外覆部８７は、後カバー９Ｌの縁返し部９１の前側板壁部３１を覆う位置に達する。後カバー９Ｌの縁返し部８１，８２に形成された突出部８１Ｂ，８２Ｂは、前カバー８Ｌの角返し部９２，９３の一部を後方側から覆う位置に達する。なお、前カバー８Ｌと後カバー９Ｌとを組み合わせた後の状態における、前カバー８Ｌに対する後カバー９Ｌの位置を、構成位置と呼ぶ。後カバー９Ｌは、段部１３，１４を前カバー８Ｌの折返し先端部分８１Ａ，８２Ａに当接させた状態で、解体位置と構成位置との間をスライド移動することができる。後カバー９Ｌの縁返し部９１に設けられたダボ９５およびフック９６が、前カバー８Ｌの左方側縁部に設けられたダボ穴８５およびラッチ８６と係合し、後カバー９Ｌは、前カバー８Ｌに対して位置決め固定される。デジタイザ基板７Ｌの上方側の縁部は縁返し部８１内に配置され、下方側の縁部は縁返し部８２内に配置される。また、デジタイザ基板７Ｌの上方右側の角部は角返し部８４内に配置され、下方右側の角部は角返し部８３内に配置される。このようにして、図４に示す、検出装置２Ｌが組み立てられる。
【００４３】
検出装置２Ｌは、前述したように、外覆部８７が縁返し部９１の前側板壁部３１を覆う構成を有する。この構成によって検出装置２Ｌは、図８に示すように、ハウジング３の外部と、ハウジング３の内部に収容するデジタイザ基板７Ｌとの間に、少なくとも縁返し部９１の前側板壁部３１の長さ分の距離Ｄ２を確保することができる。ハウジング３の合わせ部位１５に距離Ｄ２を確保したことによって、例えば、ハウジング３の外部において生じた静電気等が、合わせ部位１５を介してハウジング３内に進入し、デジタイザ基板７Ｌに到達することを、難しくすることができる。また、縁返し部９１として後カバー９Ｌの左方側の縁部を折返し状に構成したことによって、縁部におけるハウジング３の剛性を高めることができ、縁返し部９１内に配置するデジタイザ基板７Ｌの縁部を保護することができる。特に、角返し部９２，９３においては四方から、デジタイザ基板７Ｌの角部を保護することができる。そして、縁返し部９１が角返し部９２，９３を含むことで、縁返し部９１を角返し部９２，９３が有する上側側壁部３３および下側側壁部３４によって支えることができるので、縁部におけるハウジング３の剛性をさらに高めることができる。
【００４４】
また、図７に示すように、検出装置２Ｌは、縁返し部８２を有することによって、ハウジング３の側方側（図７では下方側）における外部と、合わせ部位１６との間に、少なくとも縁返し部８２の後側板壁部３２の長さ分の距離Ｄ１を確保することができる。検出装置２Ｌは外装カバー４の左側ページ４Ｌに保持して使用するため、左側ページ４Ｌはハウジング３の後方側の面と向き合って配置される。さらに、外装カバー４の左側ページ４Ｌには絶縁性を有するシート４２Ｌが織り込まれている。このため、例えば、ハウジング３の外部において生じた静電気等がハウジング３内に進入する場合、静電気等が外装カバー４のシート４２Ｌを貫通して合わせ部位１６に到達することは難しい。ゆえに、静電気等は、ハウジング３の側方側から縁返し部８２の後側板壁部３２と外装カバー４との間を通り、合わせ部位１６に到達してハウジング３内に進入する経路を辿る。距離Ｄ１を確保したことによって、静電気等が、合わせ部位１６を介してハウジング３内に進入し、デジタイザ基板７Ｌに到達することを難しくすることができる。
【００４５】
一方、図９に示すように、ハウジング３の右方側の縁部等、縁返し部が形成されていない部位においては、デジタイザ基板７Ｌに絶縁部材７２を設けることで、静電気等の進入に対する対処が可能である。前カバー８Ｌと後カバー９Ｌとの合わせ部位１７は、前カバー８Ｌが有する右側側壁部３６の後方側の縁部と、後カバー９Ｌが有する後側板壁部３２の右方側の縁部とが縁合わせして、ハウジング３の後方側の面に形成される。上記したように、ハウジング３の後方側の面は外装カバー４の左側ページ４Ｌと向き合って配置されるが、合わせ部位１７がハウジング３の右側方側における外部に近い。デジタイザ基板７Ｌの右方側の縁部に絶縁部材７２を設けることによって、検出装置２Ｌは、少なくとも絶縁部材７２の形成長さ分、距離Ｄ３を確保することができる。距離Ｄ３を確保したことによって、静電気等が、合わせ部位１７を介してハウジング３内に進入しても、進入位置からデジタイザ基板７Ｌに到達することを難しくすることができる。
【００４６】
なお、図示しないが、後カバー９Ｌの縁返し部８１，８２に設けられた突出部８１Ｂ，８２Ｂが、前カバー８Ｌの角返し部９２，９３の一部をそれぞれ覆うことで、後側板壁部３２における縁返し部８１，８２と角返し部９２，９３との合わせ部位については、静電気等の進入経路上に距離を確保することができる。しかし、上側側壁部３３および下側側壁部３４における縁返し部８１，８２と角返し部９２，９３との合わせ部位は、デジタイザ基板７Ｌとの間に十分な距離を確保することが難しい。上記同様に、デジタイザ基板７Ｌの上方右側の角部と下方右側の角部に絶縁部材７３，７４を設けることで、検出装置２Ｌは、少なくとも絶縁部材７３，７４の形成長さ分、静電気等の進入経路上に距離を確保することができる。
【００４７】
以上説明したように、縁返し部８１，８２，９１にデジタイザ基板７Ｌの縁部を配置することで、ハウジング３の外部から静電気等が進入し、デジタイザ基板７Ｌに到達するまでに辿る経路において、距離を確保することができるので、デジタイザ基板７Ｌが静電気等の影響を受けにくくすることができる。ゆえに、デジタイザ基板７Ｌをハウジング３の縁部にも配置することができ、情報入力装置１の小型化、薄型化を図ることができる。また、縁返し部８１，８２，９１を折返し状に形成することで、ハウジング３の縁部における剛性を高めることができる。
【００４８】
縁返し部８１，８２，９１が角返し部８３，８４，９２，９３を含むことで、デジタイザ基板７Ｌをハウジング３の角部にも配置することができ、情報入力装置１の小型化、薄型化を図ることができる。また、角返し部８３，８４，９２，９３を袋状に形成することで、ハウジング３の角部における剛性を高めることができる。
【００４９】
縁返し部８１，８２，９１が長く延びても角返し部８３，８４，９２，９３を含むことで、縁返し部８１，８２，９１は十分な剛性を得ることができる。そして、デジタイザ基板７Ｌをハウジング３の縁部から角部にかけて配置することができるので、情報入力装置１の小型化、薄型化を図ることができる。
【００５０】
静電気等が外部からハウジング３内に進入する場合、外覆部８７と縁返し部９１を構成する前側板壁部３１との間を経路とすることになるため、経路上の距離を確保することができ、デジタイザ基板７Ｌが静電気等の影響を受けにくくすることができる。
【００５１】
ハウジング３組立てのための噛み合わせ部等を前カバー８Ｌと後カバー９Ｌに形成する必要がなく、縁返し部８１，８２という既にある構成を用いてハウジング３の組立てを行うことができるので、情報入力装置１の小型化、薄型化を図ることができる。
【００５２】
合わせ部位１７に対して絶縁部材７２を配置することで、合わせ部位１７を介して静電気等がハウジング３内に進入しても、絶縁部材７２上を通ってデジタイザ基板７Ｌに到達する経路を辿ることになるため、経路上の距離を確保することができ、デジタイザ基板７Ｌが静電気等の影響を受けにくくすることができる。
【００５３】
デジタイザ基板７Ｌの検出面側（前方側の面側）に合わせ部位を形成しないことで、電子ペン６が合わせ部位に引っかかったりすることがなく、電子ペン６の近接位置の検出をスムーズに行うことができる。また、検出面側は、情報入力装置１のデザイン、レイアウト等を考慮すると、静電気等に対する対策が難しいので、合わせ部位を非検出面に形成すれば、静電気等に対する対策を容易化することができる。
【００５４】
デジタイザ基板７Ｌの非検出面側に絶縁性のシート４２Ｌを内蔵する外装カバー４を配置することで、静電気等が、非検出面側からハウジング３内に進入する場合の経路における距離を確保することができ、デジタイザ基板７Ｌが静電気等の影響を受けにくくすることができる。
【００５５】
なお本発明は上述の実施形態に限定されず、種々の変更が可能である。検出装置２Ｌ，２Ｒは、公知の電磁誘導方式で電子ペン６の近接する位置を検出したが、抵抗膜方式（いわゆる感圧式）、静電容量方式等、その他の方式を用い、検出対象体の検出装置２Ｌ，２Ｒへの近接または接触を検出してもよい。ノート５のサイズ、フォーマット、材質などは、上記実施形態に限定されない。ノート５を検出装置２Ｌ，２Ｒに取り付ける手法は、上記実施形態に限定されない。前カバー８Ｌと後カバー９Ｌを組み合わせてハウジング３を構成したが、前カバー８Ｌおよび後カバー９Ｌの２部材だけでなく、３部材以上を組み合わせてハウジング３を構成してもよい。
【００５６】
電子ペン６が、本発明の「検出対象体」に相当する。後カバー９Ｌが「第一部材」に相当し、前カバー８Ｌが「第二部材」に相当する。後側板壁部３２が「第一板壁部」に相当し、前側板壁部３１が「第二板壁部」に相当する。段部１３，１４が「一対の当接部」に相当する。
【符号の説明】
【００５７】
１        情報入力装置
２Ｌ      検出装置
３        ハウジング
４        外装カバー
６        電子ペン
７Ｌ      デジタイザ基板
８Ｌ      前カバー
９Ｌ      後カバー
１３，１４  段部
１７        合わせ部位
３１        前側板壁部
３２        後側板壁部
３３        上側側壁部
３４        下側側壁部
３５        左側側壁部
３６        右側側壁部
４２Ｌ      シート
７２        絶縁部材
８１，８２  縁返し部
８７        外覆部
９１        縁返し部
９２，９３  角返し部
【図１】
2014211773.tif 000003
【図２】
2014211773.tif 000004
【図３】
2014211773.tif 000005
【図４】
2014211773.tif 000006
【図５】
2014211773.tif 000007
【図６】
2014211773.tif 000008
【図７】
2014211773.tif 000009
【図８】
2014211773.tif 000010
【図９】
2014211773.tif 000011